(57)【要約】      （修正有）【課題】ケーブルの外径に比べて、ケーブルの間隔が小さい場合であっても、取付部の必要な展開長さを取ることができるケーブル取付具を提供する。【解決手段】ケーブル取付具１００は、一端部１１１と他端部１１２とが同一方向に向くように略Ｕ字状に折り曲げられたベース部１１０と、ベース部１１０の一端部１１１に、その長さ方向に間隔を空けて配設された複数の第１の取付部１２０と、ベース部１１０の他端部１１２に、その長さ方向に間隔を空けて配設された複数の第２の取付部１３０とを備えており、第１の取付部１２０と第２の取付部１３０とが長さ方向に交互に配置されている。【選択図】図２
2008140708.tif 000002
【特許請求の範囲】
【請求項１】
複数の第１のケーブルを並列に並べた状態で取付可能なケーブル取付具において、
幅方向の一端部と他端部とが同一方向に向くように折り曲げられたベース部と、
ベース部の一端部に、その長さ方向に間隔を空けて配設されており且つ第１のケーブルが各々取付可能な複数の第１の取付部と、
ベース部の他端部に、その長さ方向に間隔を空けて配設されており且つ第１のケーブルが各々取付可能な複数の第２の取付部とを備えており、
第１の取付部と第２の取付部とが長さ方向に交互に配置されていることを特徴とするケーブル取付具。
【請求項２】
請求項１記載のケーブル取付具において、
第１、第２の取付部は、ベース部に連続しており且つ前記第１、第２のケーブルが載置可能な第１、第２の支持部と、この第１、第２の支持部の両端部に前記長さ方向に交差する方向に向けて設けられており且つ前記第１、第２の支持部に載置された第１、第２のケーブルを挟持可能な一対の第１、第２の挟持部とを有し、
第１及び第２の支持部のうち少なくとも一方が折り曲げられ、当該第１の支持部のケーブル載置面と第２の支持部のケーブル載置面とが同じ高さとなっていることを特徴とするケーブル取付具。
【請求項３】
第１のケーブルに加えて、第２のケーブルが取付可能な請求項１又は２記載のケーブル取付具において、
ベース部の一端部又は他端部に設けられており且つ第２のケーブルが取付可能な第３の取付部を有したことを特徴とするケーブル取付具。
【請求項４】
請求項１又は２記載のケーブル取付具と、このケーブル取付具の複数の第１、第２の取付部に各々取り付けられる複数の第１のケーブルとを備えており、
前記第１のケーブルは、単心ケーブル、同軸ケーブル及びツインケーブルのうちの少なくとも一つであることを特徴とするケーブルアッセンブリ。
【請求項５】
請求項１又は２記載のケーブル取付具と、このケーブル取付具の複数の第１、第２の取付部に各々取り付けられる複数の第１のケーブルとを備えており、
前記第１のケーブルは、同軸ケーブル及びツインケーブルのうちの少なくとも一方であって、そのシールド部が前記第１、第２の取付部に取り付けられることを特徴とするケーブルアッセンブリ。
【請求項６】
請求項３記載のケーブル取付具と、このケーブル取付具の複数の第１、第２の取付部に各々取り付けられる複数の第１のケーブルと、前記ケーブル取付具の第３の取付部に取り付けられる第２のケーブルとを備えており、
前記第１のケーブルは単心ケーブル及び同軸ケーブルの少なくとも一方であり、
前記第２のケーブルはツインケーブルであることを特徴とするケーブルアッセンブリ。
【請求項７】
請求項３記載のケーブル取付具と、このケーブル取付具の複数の第１、第２の取付部に各々取り付けられる複数の第１のケーブルと、前記ケーブル取付具の第３の取付部に取り付けられる第２のケーブルとを備えており、
前記第１のケーブルは同軸ケーブルであり、そのシールド部が前記第１、第２の取付部に取り付けられており、
前記第２のケーブルはツインケーブルであり、そのシールド部が前記第３の取付部に取り付けられていることを特徴とするケーブルアッセンブリ。
【請求項８】
請求項４又は６記載のケーブルアッセンブリと、前記ケーブルが各々接続される複数のコンタクトとを備えたコネクタ。
【請求項９】
請求項５又は７記載のケーブルアッセンブリと、前記ケーブルが各々接続される複数のコンタクトと、前記ケーブル取付具が接触するシールド端子とを備えたコネクタ。
【発明の詳細な説明】
【技術分野】
【０００１】
本発明は、複数のケーブルが並列に並べた状態で取り付けられるケーブル取付具、これを備えたケーブルアッセンブリ及びコネクタに関する。
【背景技術】
【０００２】
従来の複数のケーブルとコネクタとの接続構造としては、複数のケーブルを複数のコンタクトに各々圧着し、このコンタクトを一本ずつコネクタのボディに組み込むようにしたものがある。この接続構造は、ケーブルの数が増えると、ケーブルをコンタクトに各々圧着し且つボディに組み込むのに時間がかかるという欠点がある。しかも、ケーブルを一本ずつ接続していくため、誤配線を招き易いという別の欠点も有している。
【０００３】
このため、別の接続構造として、複数のケーブルを取付金具に取り付け、この取付金具をコネクタのボディに取り付けると共に、複数のケーブルをコネクタの複数のコンタクトに各々接触させることにより、複数のケーブルをコネクタに一度に接続するようにしたものがある。
【０００４】
前記取付金具としては、複数のケーブルが半田付け等により取り付けられるものや、複数のケーブルが前記取付金具に長さ方向に間隔をあけて配設された複数の取付部に各々挟持されるもの(例えば、特許文献１及び２参照)等がある。
【０００５】
【特許文献１】特開平１１−２６０４３９号公報
【特許文献２】特開２００６−５４１０２号公報
【発明の開示】
【発明が解決しようとする課題】
【０００６】
前者は、外周が絶縁体で覆われた単心ケーブル等である場合、半田付けができないという欠点を有する。また、半田付けが可能なシールド部を有する同軸ケーブル等の場合であっても、半田付けにより、前記シールド部が硬化する。このため、前記ケーブルが屈曲すると、前記シールド部が断線する可能性があるという別の欠点も有している。
【０００７】
一方、後者は、前者のような欠点がないものの、取付部が取付金具となる板体から切り起こして作成される。また、取付部は、ケーブルを好適に挟持するために、ケーブルの外径に対応した展開長さを必要としている。
【０００８】
このため、コネクタの小型化により、ケーブルの間隔をケーブルの外径の３倍以下にするのに伴って、前記取付部の間隔を前記ケーブル間の間隔と同じにしようとすると、前記板体から複数の取付部を切り起こすに当たり、当該取付部のケーブルを好適に挟持するのに必要な展開長さを取ることができないことがある。
【０００９】
要するに、後者は、ケーブルの外径に比べて、ケーブルの間隔が小さい場合、取付部の必要な展開長さを取ることができないという本質的な欠点を有している。
【００１０】
本発明は、上記事情に鑑みて創案されたものであって、その目的とするところは、ケーブルの外径に比べて、ケーブルの間隔が小さい場合であっても、取付部の必要な展開長さを取ることができるケーブル取付具、これを備えたケーブルアッセンブリ及びコネクタを提供することにある。
【課題を解決するための手段】
【００１１】
上記課題を解決するために、本発明のケーブル取付具は、複数の第１のケーブルを並列に並べた状態で取付可能なケーブル取付具であって、幅方向の一端部と他端部とが同一方向に向くように折り曲げられたベース部と、ベース部の一端部に、その長さ方向に間隔を空けて配設されており且つ第１のケーブルが各々取付可能な複数の第１の取付部と、ベース部の他端部に、その長さ方向に間隔を空けて配設されており且つ第１のケーブルが各々取付可能な複数の第２の取付部とを備えており、第１の取付部と第２の取付部とが長さ方向に交互に配置されていることを特徴としている。
【００１２】
このように第１、第２の取付部が、ベース部の一端部、他端部に長さ方向に交互に配設されているので、第１の取付部と第２の取付部との間隔を狭くすることができる一方、第１の取付部同士、第２の取付部同士の間隔を第１の取付部と第２の取付部との間隔に比べて大きくすることができる。このため、第１、第２の取付部を板体から切り起こすに当たり、そのケーブルを好適に挟持するのに必要な展開長さを十分に取ることができる。
【００１３】
第１、第２の取付部は、ベース部に連続しており且つ前記第１、第２のケーブルが載置可能な第１、第２の支持部と、この第１、第２の支持部の両端部に前記長さ方向に交差する方向に向けて設けられており且つ前記第１、第２の支持部に載置された第１、第２のケーブルを挟持可能な一対の第１、第２の挟持部とを有し、第１及び第２の支持部のうち少なくとも一方が折り曲げられ、当該第１の支持部のケーブル載置面と第２の支持部のケーブル載置面とが同じ高さとなっていることが好ましい。
【００１４】
このように第１の支持部のケーブル載置面と第２の支持部のケーブル載置面とを同一高さとすることにより、これらに載置される複数の第１のケーブルの高さ位置を揃えることができる。このため、複数の第１のケーブルと、コネクタの複数のコンタクトとを接続するに当たり、互いの高さ位置を合わせることが容易になり、その結果、複数の第１のケーブルをコネクタの複数のコンタクトに接続し易くなる。
【００１５】
本発明の第１のケーブルアッセンブリは、上記ケーブル取付具と、このケーブル取付具の複数の第１、第２の取付部に各々取り付けられる複数の第１のケーブルとを備えており、前記第１のケーブルは、単心ケーブル、同軸ケーブル及びツインケーブルのうちの少なくとも一つであることを特徴としている。
【００１６】
本発明の第２のケーブルアッセンブリは、上記ケーブル取付具と、このケーブル取付具の複数の第１、第２の取付部に各々取り付けられる複数の第１のケーブルとを備えており、前記第１のケーブルは、同軸ケーブル及びツインケーブルのうちの少なくとも一方であって、そのシールド部が前記第１、第２の取付部に取り付けられることを特徴としている。
【００１７】
このようにケーブルのシールド部を前記第１、第２の取付部に取り付けることにより、ケーブル取付具をシールド用の端子としても利用することができる。
【００１８】
前記ケーブル取付具は、第１のケーブルに加えて、第２のケーブルも取付可能とすることができる。この場合、ベース部の一端部又は他端部に設けられており且つ第２のケーブルが取付可能な第３の取付部を有する。
【００１９】
このように第３の取付部を設けることにより、第１のケーブルとは異なる第２のケーブルを取り付けることができる。即ち、前記ケーブル取付具は、複数種類のケーブルを取り付けることが可能になる。
【００２０】
本発明の第３のケーブルアッセンブリは、上記ケーブル取付具と、このケーブル取付具の複数の第１、第２の取付部に各々取り付けられる複数の第１のケーブルと、前記ケーブル取付具の第３の取付部に取り付けられる第２のケーブルとを備えており、前記第１のケーブルは単心ケーブル及び同軸ケーブルの少なくとも一方であり、前記第２のケーブルはツインケーブルであることを特徴としている。
【００２１】
本発明の第４のケーブルアッセンブリは、上記ケーブル取付具と、このケーブル取付具の複数の第１、第２の取付部に各々取り付けられる複数の第１のケーブルと、前記ケーブル取付具の第３の取付部に取り付けられる第２のケーブルとを備えており、前記第１のケーブルは同軸ケーブルであり、そのシールド部が前記第１、第２の取付部に取り付けられており、前記第２のケーブルはツインケーブルであり、そのシールド部が前記第３の取付部に取り付けられていることを特徴としている。
【００２２】
このようにケーブルのシールド部を前記第１、第２の取付部に取り付けることにより、ケーブル取付具をシールド用の端子としても利用することができる。
【００２３】
本発明の第１のコネクタは、前記第１又は第３のケーブルアッセンブリと、前記ケーブルが各々接続される複数のコンタクトとを備えている。
【００２４】
本発明の第２のコネクタは、前記第２又は第４のケーブルアッセンブリと、前記ケーブルが各々接続される複数のコンタクトと、前記ケーブル取付具が接触するシールド端子とを備えている。
【発明の効果】
【００２５】
本発明のケーブル取付具による場合、第１、第２の取付部を板体から切り起こすに当たり、当該第１、第２の取付部に必要な展開長さを十分に取ることができる。このようなケーブル取付具を備えたケーブルアッセンブリを用いれば、複数の第１のケーブルをコネクタのコンタクトに一度に接続することができるので、コネクタへの接続を容易に行うことができ、低コスト化を図ることができる。また、前記ケーブルアッセンブリを用いることにより、複数の第１のケーブルの狭ピッチ化に対応することができることができるので、コネクタの小型化も図ることができる。
【発明を実施するための最良の形態】
【００２６】
以下、本発明の実施の形態にかかるケーブルアッセンブリについて説明する。
【実施例１】
【００２７】
まず、本発明の第１の実施の形態に係るケーブルアッセンブリについて図面を参照しつつ説明する。図１は本発明の第１の実施の形態に係るケーブルアッセンブリの概略的平面図、図２は(ａ)が同ケーブルアッセンブリのケーブル取付具の概略的平面図、(ｂ)同取付具のα部分の拡大斜視図、図３は同ケーブルアッセンブリのケーブル取付具の第１、第２の取付部のケーブル取付状態を示す概略的断面図であって、(ａ)が単心ケーブルが取り付けられた状態の図、(ｂ）が同軸ケーブルが取り付けられた状態の図、(ｃ）がツインケーブルが取り付けられた状態の図である。
【００２８】
図１に示すケーブルアッセンブリＡは、ケーブル取付具１００と、このケーブル取付具１００に並列に並べた状態で取り付けられる複数の第１のケーブル２００とを備えている。以下、各部を詳しく説明する。
【００２９】
ケーブル取付具１００は、図１及び図２に示すように、ベース部１１０と、ベース部１１０の一端部１１１に、その長さ方向に間隔を空けて配設された複数の第１の取付部１２０と、ベース部１１０の他端部１１２に、その長さ方向に間隔を空けて配設された複数の第２の取付部１３０とを備えており、第１の取付部１２０と第２の取付部１３０とが長さ方向に交互に配置されている。なお、第１の取付部１２０と第２の取付部１３０との間隔は、第１のケーブル２００の外径の３倍以下となっている。
【００３０】
ベース部１１０は、幅方向の一端部１１１と他端部１１２とが同一方向に向くように略Ｕ字状に折り曲げられた導電性を有する長尺状の板体である。
【００３１】
第１の取付部１２０は、図２(ｂ）及び図３に示すように、断面視略Ｕ字状の部位であって、ベース部１１０の一端部１１１に連続する第１の支持部１２１と、この第１の支持部１２１の両端部に前記長さ方向に交差する方向に向けて設けられた一対の第１の挟持部１２２とを有する。
【００３２】
第２の取付部１３０も、図２(ｂ）及び図３に示すように、断面視略Ｕ字状の部位であって、ベース部１１０の他端部１１２に連続する第２の支持部１３１と、この第２の支持部１３１の両端部に前記長さ方向に交差する方向に向けて設けられた一対の第２の挟持部１３２とを有する。
【００３３】
第１の支持部１２１は、第１のケーブル２００が載置される板状体である。この第１の支持部１２１は、図２(ｂ）に示すように、その基端部が折り曲げられ、その先端部の上面(ケーブル載置面)が第２の支持部１３１の上面(ケーブル載置面)と同一高さとなっている。第２の支持部１３１は、第１のケーブル２００が載置される直線状の板状体である。
【００３４】
一対の第１の挟持部１２２は、第１の支持部１２１に載置された第１のケーブル２００を挟持するカシメ部である。一対の第２の挟持部１３２は一対の第２の挟持部１２２と同じものである。
【００３５】
第１の支持部１２１の幅寸法と一対の第１の挟持部１２２の幅寸法との和は、第１のケーブル２００の外周の長さと略同じになっている。これにより、第１、第２の取付部１２０、１３０が第１のケーブル２００の外周の略全部を覆うことができるようになっている。同様に、第２の支持部１３１の幅寸法と一対の第２の挟持部１３２の幅寸法との和も、第１のケーブル２００の外周の長さと略同じになっている。
【００３６】
第１のケーブル２００としては、図３に示すように、単心ケーブル２００ａ、同軸ケーブル２００ｂ及びツインケーブル３００ｃの少なくとも一つを用いることができる。
【００３７】
単心ケーブル２００ａは、図３(ａ)に示すように、信号線２１０ａと、この信号線２１０ａを被覆する外部絶縁体２２０ａとを有した周知のものである。
【００３８】
同軸ケーブル２００ｂは、図３(ｂ)に示すように、信号線２１０ｂと、この信号線２１０ｂを被覆する内部絶縁体２２０ｂと、この内部絶縁体２２０ｂを覆うシールド部２３０ｂと、このシールド部２３０ｂを被覆する図示しない外部絶縁部とを有した周知のものである。
【００３９】
ツインケーブル２００ｃは、図３(ｃ)に示すように、２つの信号線２１０ｃと、この２つの信号線２１０ｃを各々被覆する２つの内部絶縁体２２０ｃと、この２つの内部絶縁体２２０ｃを覆うシールド部２３０ｃと、このシールド部２３０ｃを被覆する図示しない外部絶縁部とを有した周知のものである。
【００４０】
以下、ケーブル取付具１００の作成方法について説明する。まず、導電性の長尺状の板体の幅方向の一端部をカットし、複数の第１の取付部１２０の第１の支持部１２１及び展開された状態の一対の第１の挟持部１２２を作成する。これと共に、前記板体の幅方向の他端部をカットし、複数の第２の取付部１３０の第２の支持部１３１及び展開された状態の一対の第２の挟持部１３２を作成する。
【００４１】
その後、前記板体の中央部を略Ｕ字状に折り曲げ、前記一端部(一端部１１１に相当)と前記他端部(他端部１１２に相当)とを同一方向に向ける。これにより、前記板体がベース部１１０となる。
【００４２】
その後、第１の取付部１２０の第１の支持部１２１の基端部を折り曲げ、その先端部の上面を第２の支持部１３１の上面の高さ位置に合わせる。
【００４３】
そして、第１の取付部１２０の一対の第１の挟持部１２２を折り曲げ、前記板体の長さ方向に交差させると共に、第２の取付部１３０の一対の第２の挟持部１３２を第１の挟持部１２２と同方向に向けて折り曲げ、前記板体の長さ方向に交差させる。
【００４４】
以下、このように作成されたケーブル取付具１００に第１のケーブル２００を取り付ける手順について説明する。図３(ａ)に示すように、第１のケーブル２００が単心ケーブル２００ａである場合には、単心ケーブル２００ａの一端部の先端側の部分の外部絶縁部２２０ａを剥がし、信号線２１０ａを露出させる。この状態で、図１に示すように、単心ケーブル２００ａの一端部の後端側の部分の外部絶縁部２２０ａを第１、第２の取付部１２０、１３０の第１、第２の支持部１２１、１３１に載置する。そして、一対の第１、第２の挟持部１２２、１３２をカシメることにより、当該第１、第２の挟持部１２２、１３２に単心ケーブル２００ａの外側絶縁部２２０ａを挟持させる。
【００４５】
図３(ｂ)に示すように、第１のケーブル２００が同軸ケーブル２００ｂである場合には、同軸ケーブル２００ｂの一端部の先端側の部分の外側絶縁部、シールド部２３０ｂ及び内部絶縁体２２０ｂを剥がし、信号線２１０ｂを露出させる。その後、同軸ケーブル２００ｂの一端部の後端側の部分の外側絶縁部を剥がし、シールド部２３０ｂを露出させる。この状態で、同軸ケーブル２００ｂのシールド部２３０ｂを第１、第２の取付部１２０、１３０の第１、第２の支持部１２１、１３１に載置する。そして、一対の第１、第２の挟持部１２２、１３２をカシメることにより、当該第１、第２の挟持部１２２、１３２に同軸ケーブル２００ｂのシールド部２３０ｂを挟持させる。
【００４６】
図３(ｃ)に示すように、第１のケーブル２００がツインケーブル２００ｃである場合には、ツインケーブル２００ｃの一端部の先端側の部分の外側絶縁部、シールド部２３０ｃ及び２つの内部絶縁体２２０ｃを剥がし、２つの信号線２１０ｃを露出させる。その後、ツインケーブル２００ｃの一端部の後端側の部分の外側絶縁部を剥がし、シールド部２３０ｃを露出させる。この状態で、ツインケーブル２００ｃのシールド部２３０ｃを第１、第２の取付部１２０、１３０の第１、第２の支持部１２１、１３１に載置する。そして、一対の第１、第２の挟持部１２２、１３２をカシメることにより、当該第１、第２の挟持部１２２、１３２にツインケーブル２００ｃのシールド部２３０ｃを挟持させる。
【００４７】
このようなケーブルアッセンブリＡによる場合、第１、第２の取付部１２０、１３０が、ベース部１１０の一端部１１１、他端部１１２に長さ方向に交互に配設されているので、第１の取付部１２０と第２の取付部１３０との間隔を第１のケーブル２００の外径の３倍以下とすることができる一方、第１の取付部１２０同士、第２の取付部１３０同士の間隔を第１の取付部１２０と第２の取付部１３０との間隔より大きくすることができる。このため、第１、第２の取付部１２０、１３０を前記板体から切り起こすに当たり、第１のケーブル２００を好適に挟持するのに必要な展開長さを十分に取ることができる。
【００４８】
以下、このケーブルアッセンブリＡを備えるコネクタＣについて説明する。図４は同ケーブルアッセンブリを備えるコネクタの概略的平面図である。
【００４９】
コネクタＣは、図４に示すように、プラグコネクタであって、ボディ１０と、このボディ１０幅方向の一端部に長さ方向に配設された複数のコンタクト２０と、ボディ１０の幅方向の他端部に設けられたシールド端子３０と、ボディ１０に取り付けられるカバー４０と、コンタクト２０及びシールド端子３０に接続されるケーブルアッセンブリＡとを備えている。以下、説明の便宜上、第１のケーブル２００は同軸ケーブル２００ｂとする。
【００５０】
ボディ１０の幅方向の一端部の上面には、複数のコンタクト２０を固定するための突脈１１が設けられている。
【００５１】
コンタクト２０は、ボディ１０にインサート成形され、突脈１１により固定される。このコンタクト２０は、突脈１１により、先端部と、後端部とに分けられる。コンタクト２０の先端部は、ボディ１０の上面から図示しないレセプタクルコネクタのコンタクトに接触可能に露出している。一方、コンタクト２０の後端部は、ボディ１０の上面からケーブルアッセンブリＡの同軸ケーブル２００ｂの信号線２１０ｂと接続可能に露出している。
【００５２】
シールド端子３０は、ボディ１０の幅方向の他端部の上面からケーブル取付具１００と接触可能に露出している。また、シールド端子３０は、ボディ１０の下面からも露出しており、図示しない基板のグランド部に接続されている。
【００５３】
カバー４０は、シールドカバーであって、ボディ１０に取り付けられることにより、ボディ１０との間にシールド端子３０を挟持すると共に、シールド端子３０に接触し接続される。
【００５４】
以下、ケーブルアッセンブリＡの同軸ケーブル２００ｂとコンタクト２０とを接続する手順及びケーブルアッセンブリＡのケーブル取付具１００とシールド端子３０とを接続する手順について説明する。
【００５５】
まず、複数の同軸ケーブル２００ｂの信号線２１０ｂを複数のコンタクト２０の後端部に各々位置合わせをしつつ接触させる。これにより、信号線２１０ｂがコンタクト２０に接続される。
【００５６】
これと共に、ケーブル取付具１００のベース部１１０をシールド端子３０に接触させる。これにより、ケーブル取付具１００がシールド端子３０に接続される。
【００５７】
この状態で、カバー４０をボディ１０に取り付ける。これにより、ケーブル取付具１００のベース部１１０がシールド端子３０とカバー４０との間で挟持される。
【００５８】
このようなコネクタＣによる場合、ケーブルアッセンブリＡを用いることにより、複数の第１のケーブル２００と複数のコンタクト２０とを簡単に接続することができる。しかも、第１のケーブル２００をコンタクト２０に接続する際に、ケーブル取付具１００がシールド端子３０に接触し接続される。即ち、第１のケーブル２００とコンタクト２０との接続と、ケーブル取付具１００とシールド端子３０との接続を同時に行うことができるので、組立てコストを低減することができる。  
【実施例２】
【００５９】
次に、本発明の第２の実施の形態に係るケーブルアッセンブリについて図面を参照しつつ説明する。図５は本発明の第２の実施例の形態にかかるケーブルアッセンブリの概略的平面図である。
【００６０】
図５に示すケーブルアッセンブリＡ’は、ケーブル取付具１００’のベース部１１０’の他端部１１２’に設けられた延長部１４０’と、この延長部１４０’の複数の第３の取付部１４１’に各々取り付けられる複数の第２のケーブル３００’とを更に備える点で、ケーブルアッセンブリＡと相違する。よって、この相違点について詳しく説明し、重複する箇所については説明を省略する。
【００６１】
ケーブル取付具１００’のベース部１１０’の一端部１１１’は、延長部１４０’に対向する先端部が矩形状に切り欠かれている。
【００６２】
延長部１４０’は、ベース部１１０’の他端部１１２’から延長された略矩形状の板体である。この延長部１４０’の中央部には、複数の第２のケーブル３００’が各々取り付けられる複数の第３の取付部１４１’が前記長さ方向に間隔を空けて設けられている。また、延長部１４０’の先端部には複数の端子１４２’が前記長さ方向に間隔を空けて設けられている。第３の取付部１４１’と端子１４２’とは交互になるように配置されている。
【００６３】
第３の取付部１４１’は、延長部１４０’をカットして作成されるものであって、断面視略Ｕ字状となっている。この第３の取付部１４１’は、先端部及び後端部が延長部１４０’に連続する略Ｉ字状の第３の支持部と、この第３の支持部の両端部に設けられ且つ第１、第２の取付部１２０’、１３０’の第１、第２の挟持部１２２’、１３２’と同方向に向けて折り曲げられた一対の第３の挟持部とを有する。
【００６４】
第２のケーブル３００’は上述したツインケーブルである。第１のケーブル２００’は単心ケーブル２００ａ又は同軸ケーブル２００ｂである。
【００６５】
以下、ケーブル取付具１００’に第２のケーブル３００’を取り付ける手順について説明する。なお、第１のケーブル２００’の取付手順は実施例１と同じであるため、省略する。
【００６６】
図３(ｃ)を借りて参照するように、第２のケーブル３００’の一端部の先端側の部分の外側絶縁部、シールド部及び内部絶縁体を剥がし、信号線を露出させる。その後、第２のケーブル３００’の一端部の後端側の部分の外側絶縁部を剥がし、シールド部を露出させる。この状態で、第２のケーブル３００’のシールド部を第３の取付部１４１’の第３の支持部に載置する。そして、前記一対の第３の挟持部をカシメることにより、当該第３の挟持部に第２のケーブル３００’のシールド部を挟持させる。
【００６７】
このようなケーブルアッセンブリＡ’による場合も、ケーブルアッセンブリＡと同様の効果を得ることができる。しかも、第１のケーブル２００’だけでなく、第２のケーブル３００’を容易に取り付けることができるので、複数種類のケーブルを取り付けることができる。
【００６８】
以下、ケーブルアッセンブリＡ’を備えるコネクタＣ’について説明する。図６は同ケーブルアッセンブリを備えるコネクタの概略的平面図である。
【００６９】
コネクタＣ’は、図６に示すように、コネクタＣと同じプラグコネクタである。コネクタＣ’がコネクタＣと異なる点は、ケーブル取付具１００’の複数の端子１４２’がコンタクト２０’に各々接続される点、延長部１４０’がシールド端子３０に接続される点である。以下、この相違点について詳しく説明し、重複する箇所については説明を省略する。なお、以下、説明の便宜上、第１のケーブル２００は同軸ケーブル２００ｂとする。
【００７０】
同軸ケーブル２００ｂ’の信号線２１０ｂ’はコンタクト２０’の後端部に接続される。第２のケーブル３００’の２つの信号線もコンタクト２０’の後端部に各々接触し接続される。
【００７１】
ケーブル取付具１００’の延長部１４０’の端子１４２’は、第１、第２のケーブル２００’、３００’が接触したコンタクト２０’以外のコンタクト２０’の後端部に接触し接続される。このコンタクト２０’は、図示しないレセプタクルコネクタのグランド接続用のコンタクトに接触し、当該コンタクトを通じて図示しない基板のグランド部に接続される。
【００７２】
また、ケーブル取付具１００’のベース部１１０’及び延長部１４０’はシールド端子３０に接触し接続される。
【００７３】
このようなコネクタＣ’による場合、ケーブルアッセンブリＡ’を用いることにより、第１、第２のケーブル２００’、３００’をコネクタＣ’のコンタクト２０’に簡単に接続することができる。しかも、第１、第２のケーブル２００’３００’をコンタクト２０’に接続する際に、ケーブルアッセンブリＡ’のケーブル取付具１００’がシールド端子３０’に接続される。即ち、第１、第２のケーブル２００’３００’とコンタクト２０’との接続と、ケーブル取付具１００’とシールド端子３０’との接続とを同時に行うことができるので、両者の接続に掛かるコストを低減することができる。
【００７４】
なお、ケーブル取付具については、幅方向の一端部と他端部とが同一方向に向くように折り曲げられたベース部と、ベース部の一端部に、その長さ方向に間隔を空けて配設されており且つ第１のケーブルが各々取付可能な複数の第１の取付部と、ベース部の他端部に、その長さ方向に間隔を空けて配設されており且つ第１のケーブルが各々取付可能な複数の第２の取付部とを備えており、第１の取付部と第２の取付部とが長さ方向に交互に配置されている限りどのような設計変更を行ってもかまわない。
【００７５】
ケーブル取付具は、導電性を有するとしたが、単心ケーブル２００ａ等が取り付けられ、シールド端子３０との接続が不要である場合には、非導電性のものとすることができる。また、ケーブル取付具のベース部に、第１、第２、第３の取付部以外の取付部を設けることが可能であることは言う迄もない。
【００７６】
ベース部１１０、１１０’の形状は、上述した略Ｕ字状に折り曲げられたものに限定されるものではなく、幅方向の一端部と他端部とが同一方向に向くように折り曲げられている限り任意に設計変更可能である。
【００７７】
第１、第２の取付部１２０、１３０、１２０’、１３０’の形状は、第１のケーブル２００が取付可能である限り、任意に設計変更可能である。第１の取付部１２０、１２０’と第２の取付部１３０、１３０’との間隔は、第１のケーブル２００の外径の３倍以下に限定されるものではない。
【００７８】
第１の支持部１２１、１２１’は基端部が折り曲げられているとしたが、その代わりに、第２の支持部１３１、１３１’を折り曲げ、そのケーブル載置面と第１の支持部１２１、１２１’のケーブル載置面とを同じ高さ位置とするようにしてもかまわないし、第１、第２の支持部１２１、１３１、１２１’、１３１’の双方を折り曲げ、両者のケーブル載置面を同じ高さ位置とするようにしても良い。なお、第１、第２の支持部の少なくとも一方が折り曲げられ、両者のケーブル載置面の高さ位置が同じであることが好ましいが、これに限定されるものではない。
【００７９】
第３の取付部１４１は、延長部１４０’に設けられるとしたが、これに限定されるものではなく、第１、第２の取付部１２０’、１３０’と同様にベース部１１０’の一端部１１１’又は他端部１１２’に直接設けることが可能である。
【００８０】
第１のケーブル２００としては、単心ケーブル２００ａ、同軸ケーブル２００ｂ及びツインケーブル２００ｃを例に挙げたが、これに限定されるものではなくその他のケーブルを用いることが可能であることは言う迄もない。この点は、第１のケーブル２００’も同じである。
【００８１】
第２のケーブル３００’としては、ツインケーブルを例に挙げたが、これに限定されるものではなくその他のその他のケーブルを用いることが可能であることは言う迄もない。
【図面の簡単な説明】
【００８２】
【図１】本発明の第１の実施の形態に係るケーブルアッセンブリの概略的平面図である。
【図２】(ａ)が同ケーブルアッセンブリのケーブル取付具の概略的平面図、(ｂ)同取付具のα部分の拡大斜視図である。
【図３】同ケーブルアッセンブリのケーブル取付具の第１、第２の取付部のケーブル取付状態を示す概略的断面図であって、(ａ)が単心ケーブルが取り付けられた状態の図、(ｂ）が同軸ケーブルが取り付けられた状態の図、(ｃ）がツインケーブルが取り付けられた状態の図である。
【図４】同ケーブルアッセンブリを備えるコネクタの概略的平面図である。
【図５】本発明の第２の実施例の形態にかかるケーブルアッセンブリの概略的平面図である。
【図６】同ケーブルアッセンブリを備えるコネクタの概略的平面図である。
【符号の説明】
【００８３】
Ａ、Ａ’          ケーブルアッセンブリ
１００、１００’  ケーブル取付具
１１０、１１０’  ベース部
１１１、１１１’  一端部
１１２、１１２’  他端部
１２０、１２０’  第１の取付部
１２１、１２１’  第１の支持部
１２２、１２２’  第１の挟持部
１３０、１３０’  第２の取付部
１３１、１３１’  第２の支持部
１３２、１３２’  第２の挟持部
１４１、１４１’  第３の取付部
２００、２００’  第１のケーブル
３００’          第２のケーブル
Ｃ、Ｃ’          コネクタ
２０、２０’      コンタクト
３０、３０’      シールド端子
【図１】
2008140708.tif 000003
【図２】
2008140708.tif 000004
【図３】
2008140708.tif 000005
【図４】
2008140708.tif 000006
【図５】
2008140708.tif 000007
【図６】
2008140708.tif 000008